(57)【特許請求の範囲】
【請求項１】
ＩＣカードを電話機のカード挿入口に挿入し、ＩＣカードの端子と電話機のコンタクトピンとを接触させて利用する、ＩＣカード利用システムにおける電話機であって、カード挿入口近くに、カードが通過する面を横切るように、局所的に磁場を発生させるための磁場発生装置を有し、ＩＣカードの端子部とコンタクトピンとを接触して通信する際に、ＩＣカードとカード挿入口間で該磁場発生装置により磁場を発生させることを特徴とする電話機。
【請求項２】
請求項１における磁場発生装置は、カード挿入口近くの電話機内側に配されており、ドーナツ状形の一部をその断面全体を含むように除去したフエライト等の磁性体からなるコアの回りをコイルで巻き、交流電源により磁界を発生させるものであり、且つ、前記ドーナツ状形の除去された部分をＩＣカードの通過面が横切るようにしたことを特徴とする電話機。
【発明の詳細な説明】
【０００１】
【産業上の利用分野】
本発明は，ＩＣカードシステムにおける不正使用に関し、詳しくは、外部への電気信号漏洩や外部からの不正な信号の入力を防止できる電話機（リーダライタ）に関する。
【０００２】
【従来の技術】
ＩＣカードは新しい情報記録媒体として、特に磁気カードに代わる情報記録媒体として注目を集めており次第に普及しつつある。
ＩＣカードは小型のカードにメモリ及び電極などを一体化したＩＣモジュールが搭載されたものであり、従来より、電話機にＩＣカードを挿入して利用するＩＣカードシステムにおけるＩＣプリペイドカード等として使用されている。
ＩＣカードを用いて電話機を利用するＩＣカードシステムは、ユーザが必要に応じてＩＣプリペイドカードを購入し、公衆電話機にカードをセットし電話をかけるもので、リーダライタ（Ｒ／Ｗ）である公衆電話機は電気信号によりＩＣカードのメモリ内の度数を読み出し、残度数に応じて通話の継続切断を制御している。
しかし、図４に示すように、ＩＣカードの端子に不正配線を接続し、ＩＣブレッドボード（評価ボード）のようなものを用いても、使用できてしまうという問題があった。
これに対応する為、従来、このシステムの場合、カードの端子部に不正配線を接続させて電気信号を外部に読み出す電気信号の漏洩を防ぐ目的で、不正配線を検知するための蓋を電話機（リーダライタ）の入口に設ける方法が採られていた。
【０００３】
【発明が解決しようとする課題】
しかし、この従来の方法では、公衆電話機には蓋の開閉のための可動部が必要となり、故障が発生しやすいという問題や、蓋を壊すことによって容易に不正なカードの挿入が可能となってしまう問題があった。
また、ＩＣカードからの不正配線自体がきわめて薄い場合には、防ぐことができない等の問題もあった。
本発明は、このような状況のもと、簡単な構造で故障を発生させず、且つ、外部への電気信号漏洩や外部からの不正電気信号の入力を防止できる電話機（リーダライタ）を提供しようとするものである。
【０００４】
【課題を解決するための手段】
本発明の電話機は、ＩＣカードを電話機のカード挿入口に挿入し、ＩＣカードの端子と電話機のコンタクトピンとを接触させて利用する、ＩＣカード利用システムにおける電話機であって、カード挿入口近くに、カードが通過する面を横切るように、局所的に磁場を発生させるための磁場発生装置を有し、ＩＣカードの端子部とコンタクトピンとを接触して通信する際に、ＩＣカードとカード挿入口間で該磁場発生装置により磁場を発生させることを特徴とするものである。
そして、上記における磁場発生装置は、カード挿入口近くの電話機内側に配されており、ドーナツ状形の一部をその断面全体を含むように除去したフエライト等の磁性体からなるコアの回りをコイルで巻き、交流電源により磁界を発生させるものであり、且つ、前記ドーナツ状形の除去された部分をＩＣカードの通過面が横切るようにしたことを特徴とするものである。尚、ここで、カード挿入口近くとは、ＩＣカードを所定の位置に挿入した後、コンタクトピンとＩＣカード端子とを接触させながら通信する際に、ＩＣカードを磁場が横切らない（影響の無い）程度、ＩＣカードから離れた位置を言い、通常、カード挿入口はこの位置に当たる。ドーナツ状形とは、円形状である必要はなく、要はコイルによる磁界を通すコア部（フエライト部）が略閉ループ状になっていれば良く、又その断面としては、図２に示すように、円形や四角形等が挙げられる。コイルによる磁界を通すコア部としては、磁性体のものが好ましく、フエライト等が挙げられる。
【０００５】
【作用】
本発明の電話機は、このように、ＩＣカード端子と電話機コンタクトピンとの接触時には、磁場を発生させるための手段により磁場を発生させることにより、不正配線のない正規のＩＣカードを利用した場合には問題なく通信でき、且つ、不正配線をつけた不正ＩＣカードを使用した場合には、磁場により不正配線の電気信号をじゃまし、不正ＩＣカードの使用を防止することができ、結局、不正者による外部への電気信号漏洩や不正信号の入力を防止できるものとしている。これにより、ＩＣカードの端子に不正配線を接続したＩＣブレッドボード（評価ボード）のようなものの使用を全くできないものとしている。
又、磁場発生装置を、カード挿入口近くの電話機内側に配し、ドーナツ状形の一部を除去したフエライト等の磁性体からなるコアの回りを配線で巻き、交流電源により磁界を発生させ、且つ、前記ドーナツ状形の除去された部分をＩＣカードの通過面が横切るようにしたことにより、不正配線がある場合には、その部分に対してのみ局部的に強い磁場を発生させることを可能としている。
【０００６】
【実施例】
本発明の電話機の実施例を挙げ、図にもとづいて説明する。
図１は実施例電話機の構成全体の概略横断面図で、図２は要部である磁場発生装置を示している。
図１中、１００は公衆電話機、１０２磁場発生装置、１０２Ａは交流電源、１０２Ｂは配線、１０４はコンタクト、１０５はコンタクトピン、１０６はカード挿入口、１０７Ａ、１０７Ｂは、カード回転支持部であり、１１０はＩＣカードである。
【０００７】
本実施例の公衆電話機１００は、図１に示すような、ＩＣカード１１０を公衆電話機１００のカード挿入口１０６から挿入した後、ＩＣカード１１０の端子部と公衆電話機１００のコンタクト１０４の端子ピン１０５とを接触させて使用するＩＣカード利用の電話機システムの電話機で、磁場発生装置１０２を備えたものであり、ＩＣカードを所定の位置にセットして使用する際に磁場発生装置１０２にて局所的に磁場を発生して、外部への電気信号の漏洩や外部からの信号の入力をじゃまして防止しようとするものである。
磁場発生装置１０２はカード挿入口１０６近くの公衆電話機１００内側に配されており、図２に示すような構造で、ドーナツ状形の一部を除去したフエライトコア１０２Ｃの回りをコイル１０２Ｄで巻き、交流電源１０２Ａにより、配線１０２Ｂを介して、フエライトに沿って磁界を強く生成する方式の磁場発生装置である。このようにしたことにより、ドーナツ状形の一部除去された部分（除去部１０３）における磁場の強さはフエライト内と略同一となり、その部分のみ磁界の強さ（磁束密度）を大とすることができる。本実施例電話機においては、この部分をＩＣカードが通過することとなり、不正配線がある場合には、不正配線のみに局部的に強い磁界をかけることができる。
本実施例においては、除去部１０３の断面（除去部断面１０３Ｓ）は、図２（ｂ）の（イ）に示す略円形の形状をしているが、図２（ｂ）の（ロ）に示す四角形状のものでも良い。
【０００８】
ＩＣカード１１０の通過面は、磁場発生装置１０２のフエライトコア１０２Ｃを横切るようになっており、図３に示すように、不正配線がなされたＩＣカード１１０Ａを公衆電話機１００に挿入して使用しようとした場合、ＩＣカード１１０Ａが所定の位置にセットされた際には、不正配線１２０部に磁場発生装置１０２により、磁場がかかる為、不正配線の電気的信号は乱れ、正規の信号を外部へ取り出したり、外部からの電気信号を入力することができなくなる。
本実施例においては、ドーナツ状形についは図２（ｂ）の（イ）に示すような切断面形状が円形のもので、その捲線の数は１００巻で、交流電源としては、２４Ｖ、１Ａ、周波数４．９ＭＨＺを用いた。
ドーナツ状形の除去部の間隔はできるだけ狭い方が良く、ＩＣカードが通れる余裕がある間隔で良く、１．０ｍｍとした。
ドーナツ状形については、断面が直径５．５ｍｍφの円状のものを用いたが、５．５ｍｍ四角形状のものでも良い。
【０００９】
【発明の効果】
本発明は、上記のような磁場発生装置を用い、外部への電気信号漏洩や外部からの不正電気信号の入力を防止可能としている。
又、磁場発生装置は、比較的簡単に設けることができ、従来の公衆電話機のような機械的な故障を発生させない。
【図面の簡単な説明】
【図１】実施例の電話機の概略図
【図２】磁場発生装置
【図３】不正配線を設けたＩＣカードを挿入した場合の電話機の概略図
【図４】不正配線を有するＩＣカードの例を示す図
【符号の説明】
１００                      公衆電話機
１０２                      磁場発生装置
１０２Ａ                    交流電源
１０２Ｂ                    配線
１０２Ｃ                    フエライト
１０２Ｄ                    コイル
１０３                      除去部
１０３Ｓ                    除去部面
１０４                      コンタクト
１０５                      コンタクトピン
１０６                      カード挿入口
１０７Ａ、１０７Ｂ          カード回転支持部
１１０                      ＩＣカード
１１０Ａ                    不正ＩＣカード
１２０                      不正配線
【図１】
0003654935.tif 000002
【図２】
0003654935.tif 000003
【図３】
0003654935.tif 000004
【図４】
0003654935.tif 000005